(57)【要約】【課題】簡素な構成により製作工程の簡素化を図ることができると同時に製作コストを抑制することができ、そのうえで着用感、造形性、補整機能性等のいずれにおいても優れた、カップ部を有する衣類を提供する。【解決手段】バック布４はその上縁４１及び下縁４２がそれぞれ切りっ放しのフリーカット生地で構成し、土台部３から各バック布４にかけて、着圧力の異なる２つのゾーン８，９を画成した。着圧力が大きい方の第１ゾーン８は、土台部３の前中心３１からカップ部２の腋側サイドの側方に至る主領域８１と、この主領域８１に連続してバック布４の先端側に向かいバック布４の下縁４２に沿って延在する副領域８２とから構成した。第２ゾーン９は、主領域８１と副領域８２とバック布４の上縁４１とで囲まれる領域９１から構成した。第１ゾーン８の主領域８１と第２ゾーン９との境界Ｂを、着用時におけるバック布４の引張方向と直交する方向に沿う直線とした。【選択図】図１
2020200550.tif 000002
【特許請求の範囲】
【請求項１】
左右一対のカップ部と、これら左右のカップ部の下方に連設された土台部と、前記左右のカップ部の各腋側サイドからそれぞれ前記カップ部の背後側に延設された左右一対のバック布と、を少なくとも備えたカップ部を有する衣類において、
前記各バック布はその上縁及び下縁がそれぞれ切りっ放しのフリーカット生地で構成されるとともに、前記土台部から各バック布にかけて、着圧力の異なる２つのゾーンが画成され、
前記２つのゾーンのうち、着圧力が大きい方の第１ゾーンは、前記土台部の前中心から前記カップ部の腋側サイドの側方に至る主領域と、この主領域に連続して該バック布の先端側に向かい該バック布の下縁に沿って延在する副領域とから構成され、
前記着圧力が小さい方の第２ゾーンは、前記主領域と前記副領域と該バック布の上縁とで囲まれる領域から構成され、
前記第１ゾーンの主領域と前記第２ゾーンとの境界が、着用時におけるバック布の引張方向と直交する方向に沿う直線とされたことを特徴とするカップ部を有する衣類。
【請求項２】
請求項１に記載のカップ部を有する衣類において、
前記第１ゾーンは、前記土台部の前中心から前記境界までの長さが、前記土台部の前中心から前記バック布の先端までの長さの４０〜８０％とされたことを特徴とするカップ部を備えた衣類。
【請求項３】
請求項１又は２に記載のカップ部を有する衣類において、
前記カップ部の腋側から下側周縁に沿って補強部材が設けられ、
該補強部材は、前記カップ部の腋側に位置する部位の弾性力が、前記カップ部の下側周縁側に位置する部位の弾性力よりも大きくされたことを特徴とするカップ部を有する衣類。
【発明の詳細な説明】
【技術分野】
【０００１】
本発明は、例えば、ブラジャーやブラスリップなどのカップ部を有する衣類に関する。
【背景技術】
【０００２】
ブラジャーなどのカップ部を有する衣類にあっては、腋から乳房にかけてのサポート感が得られ乍らも不快な締め付け感がなく、またバック布の上縁における皮膚の盛り上がりによる段差が生じず美麗なシルエットを得ることができるような、着用感、造形性、補整機能性等に優れたものが求められており、従来、これに応えるべく多種多様な衣類が提案されている。
【０００３】
例えば、特許文献１には、バック布の中央部のパワーを強くする一方上下両側部のパワーを中央部のパワーより弱くしてなるブラジャー及び衣類が提案されている。
【０００４】
これによれば、中央部でしっかりと身体が押さえられるので、上下両側へと皮膚が伸展した場合には上下両側部で緩やかな緊締力で面状におさえて、伸展した皮膚を分散吸収することができる結果、バック布の上下両端縁に沿う皮膚の段差発生を解消することができる、とされている。さらに、バック布の中央部を強い緊締力で面状に押さえるため、バック布の内部に皮膚が溜まって隆起することも防止できるため、ブラジャーの着用時に、段差が少なく外衣に影響しにくい美しいサイド・バックシルエットを形成することができる、とされている。
【０００５】
また、特許文献２には、カップ部と、カップ部の腋側からバック側に延びるバック布と、肩紐とを少なくとも備える衣類において、バック布は、伸縮性の布であって、上縁、上縁より長い下縁、前縁、前縁より短い後縁、及び上縁後端と後縁上端とを結ぶ斜め状の縁とを有するとともに、前後方向の伸縮パワーの強弱によって、少なくとも４つの部分に区分され、前側上部の部分が最も伸縮パワーが大きく、次いで、前側下部、後側上部、後側下部の順に伸縮パワーが段階的に小さくされており、さらに、バック布は、上下方向にも伸縮性を有しており、かつ斜め状の縁は、後側下部と後側上部の両方に渡って延びており、その全長に沿って肩紐が取り付けられてなるカップ部を有する衣類が提案されている。
【０００６】
これによれば、バック布を前後、上下方向に区分して、それぞれの箇所の機能に合わせて伸縮パワーを設定し、全体として、造形性、補整機能に優れ、段差も生じ難く、かつ着用感のよいブラジャー等のカップ部を有する衣類を提供することができる、とされている。
【先行技術文献】
【特許文献】
【０００７】
【特許文献１】特開２００２−２３５２０９号公報
【特許文献２】特開２０１０−１８０５０９号公報
【発明の概要】
【発明が解決しようとする課題】
【０００８】
しかしながら、上記特許文献１に記載の衣類にあっては、バック布の中央部のパワーを強くする一方上下両側部のパワーを中央部のパワーより弱くしているため、バック布の上縁における皮膚の盛り上がりによる段差が生じず美麗なシルエットを得ることができる反面、バック布の中央部のパワーにだけ依存する構成であるため、バック布の部分でのサポート感に欠けるものであった。
【０００９】
一方、上記特許文献２に記載の衣類にあっては、特許文献１に記載の衣類における上記したような問題点を解消し得るものではあるが、バック布が、相互に伸縮パワーの異なる４つの部分に区分されたものであるため、バック布の構成が複雑なものとなることから、その分製作工程が煩瑣となり製作コストも嵩むとともに、所望の着用感、造形性、補整機能性等を達成すべく４つの区分のすべてにおいて最適な伸縮パワーを得ることは実際のところ困難であった。
【００１０】
本発明は、上記従来の問題点を解決するためになされたものであって、構成が上記従来のものに比べて簡素ながらも、着用感、造形性、補整機能性等のいずれにおいても優れた、カップ部を有する衣類を提供することを目的とする。
【課題を解決するための手段】
【００１１】
上記目的を達成するため、本発明のカップ部を有する衣類は、左右一対のカップ部と、これら左右のカップ部の下方に連設された土台部と、左右のカップ部の各腋側サイドからそれぞれカップ部の背後側に延設された左右一対のバック布と、を少なくとも備えたカップ部を有する衣類において、各バック布はその上縁及び下縁がそれぞれ切りっ放しのフリーカット生地で構成されるとともに、土台部から各バック布にかけて、着圧力の異なる２つのゾーンが画成され、２つのゾーンのうち、着圧力が大きい方の第１ゾーンは、土台部の前中心からカップ部の腋側サイドの側方に至る主領域と、この主領域に連続してバック布の先端側に向かいバック布の下縁に沿って延在する副領域とから構成され、着圧力が小さい方の第２ゾーンは、主領域と副領域とバック布の上縁とで囲まれる領域から構成され、第１ゾーンの主領域と第２ゾーンとの境界が、着用時におけるバック布の引張方向と直交する方向に沿う直線とされたことを特徴とするものである。
【００１２】
この特定事項により、バック布はその上縁及び下縁がそれぞれ切りっ放しのフリーカット生地で構成されているため、バック布の上縁における皮膚の盛り上がりによる段差が生じず美麗なシルエットを得ることができる。
【００１３】
また、着圧力の強弱の違いを第１ゾーンと第２ゾーンの２箇所に設定するとともに、着圧力が大きい方の第１ゾーンを、土台部の前中心からカップ部の腋側サイドの側方に至る主領域と、この主領域に連続してバック布の先端側に向かいバック布の下縁に沿って延在する副領域とから構成したので、主領域により腋の肉が背後に流れにくくなり、良好なサポート感が得られると同時に、副領域により不快な締め付け感を伴わない適度な締付力も得ることができる。この結果、着用感、造形性、補整機能性等のすべてを満足することができる。しかも、第１ゾーンの主領域と第２ゾーンとの境界を、着用時におけるバック布の引張方向と直交する方向に沿う直線したため、引張によってバック布に皺が生じるのを防止することができ、着用時のシルエットを損ねる虞もない。
【００１４】
上記カップ部を有する衣類において、第１ゾーンは、土台部の前中心から、第１ゾーンの主領域と第２ゾーンとの境界までの長さが、土台部の前中心からバック布の先端までの長さの４０〜８０％とされているとよい。
【００１５】
上記長さが４０％未満であると着用感が緩いものとなり、８０％を超えると締め付け感が強くなるので、上記長さがそのような範囲であれば、良好なサポート感が得られたうえで優れた着用感を得ることができる。
【００１６】
上記カップ部を有する衣類にあっては、カップ部の腋側から下側周縁に沿って補強部材を設けてもよく、その場合、この補強部材は、カップ部の腋側に位置する部位の弾性力が、カップ部の下側周縁側に位置する部位の弾性力よりも大きくされるのが望ましい。
【００１７】
このような補強部材をカップ部の腋側から下側周縁に沿って設けることにより、乳房のホールド感がより良好なものとなる。特に、カップ部の下側周縁側に位置する部位の弾性力を腋側のそれよりも小さくしているので、補強部材が肌に食い込み難く、着用感を損ねる虞がない。
【発明の効果】
【００１８】
本発明によれば、簡素な構成により製作工程の簡素化を図ることができると同時に製作コストを抑制することができ、そのうえで着用感、造形性、補整機能性等のいずれにおいても優れた、カップ部を有する衣類を提供することができる。
【図面の簡単な説明】
【００１９】
【図１】本発明の一実施形態であるブラジャーの半分（左胸側）を示す概略正面図である。
【図２】図１に示すブラジャーの着用状態を示す概略斜視図である。
【図３】図１に示すブラジャーの着用状態を示す概略正面図である。
【図４】図１に示すブラジャーの着用状態を示す概略背面図である。
【図５】図１に示すブラジャーの土台部及び左右のバック布の原反生地及び裁断パターンの例を概略的に示す模式図である。
【発明を実施するための形態】
【００２０】
以下、本発明の実施の形態について図を参照して説明する。
【００２１】
図１は、本発明の一実施形態であるブラジャーの半分（左胸側）を示す概略正面図、図２は、ブラジャーの着用状態を示す概略斜視図、図３は、ブラジャーの着用状態を示す概略正面図、図４は、ブラジャーの着用状態を示す概略背面図である。
【００２２】
このブラジャー１は、左右一対のカップ部２，２と、これら左右のカップ部２，２の下方に連設された土台部３と、左右のカップ部２，２の各腋側サイドからそれぞれカップ部２，２の背後側に延設された左右一対のバック布４，４と、カップ部２，２とバック布４，４との間に設けられた肩紐５，５と、バック布４の先端部に設けられた留具６，６とを備えたものである。なお、バック布４，４は左右一対であり、形態は対称であるので、以下、一方のみ（左胸側）を説明する。
【００２３】
バック布４は、縦横に伸縮可能、且つ、その上縁４１及び下縁４２がそれぞれ切りっ放しのフリーカット生地で構成された、所謂「１枚もの」である。
【００２４】
土台部３は、上記バック布４と同じ生地から形成されたものであり、その左右両端部において、カップ部２の下方でバック布４の基端部４３と縫着７されている。
【００２５】
土台部３からバック布４にかけては、着圧力の異なる２つのゾーン８，９が画成されている。これら２つのゾーン８，９のうち、着圧力が大きい方の第１ゾーン８は、土台部３の前中心３１からカップ部２の腋側サイドの側方に至る主領域８１と、この主領域８１に連続してバック布４の先端側に向かいバック布４の下縁４２に沿って延在する副領域８２とから構成されている。なお、図面では、第１ゾーン８の主領域８１と副領域８２とが見やすいように、相互に異なるパターンの網掛けで示している。副領域８２の幅寸法は、着用時に張力によってバック布４の下縁４２がめくれたり、またバック布４に皺が生じたりしない程度の寸法とされる。
【００２６】
一方、着圧力が小さい方の第２ゾーン９は、第１ゾーン８の主領域８１と副領域８２とバック布４の上縁４１とで囲まれる領域９１から構成されている。
【００２７】
ここで、着圧力とは、バック布４及び土台部３を構成する生地の伸縮力により生じるものである。また、着圧力が大きいとは、伸縮力が強くて、外から加えられた引張力に対して伸びにくいことをいう。換言すると、生地の伸びが拘束されて伸長させるには大きな引張力を要することをいう。一方、着圧力が小さいとは、伸縮力が弱くて、外から加えられた引張力に対して伸び易いことをいう。換言すると、生地がフリーな状態とされて伸長させるのに大きな引張力を要しないことをいう。
【００２８】
このような着圧力の大小をバック布４及び土台部３の生地に付与する手段としては従来公知の技術を採用することができる。例えば、伸度の高い生地に対して抜染加工又は抜蝕加工或いはオパール加工を施す方法が挙げられる。このような加工を施すことにより、特定の繊維を除去する領域を形成することによって除去領域では生地本来の伸びを拘束しないようにする一方で、残存領域では生地の伸びを拘束することができる。また、そのような手段以外に、例えば、伸度の高い生地に対して、その伸びを抑制したい部分にのみ、例えばインクジェット方式による捺染加工で樹脂を塗布する手段が挙げられる。
【００２９】
ここで、着圧力の大小について具体的に述べると、第１ゾーン８と同等の伸縮力を有する試験片の伸長度と、第２ゾーン９と同等の伸縮力を有する試験片との伸長度とを対比した場合、望ましい例示として、その比率は、１．３５：２．１５である。なお、ここでの試験片は、幅が３ｃｍで長さが１５ｃｍである。
【００３０】
図５は、バック布４及び土台部３を構成する原反生地１０に、上記手段により一対のバック布４，４と土台部３とを複数組形成した状態を概略的に示す模式図である。原反生地１０には、製作予定の最大サイズに対応した形状のバック布４及び土台部３の組が複数形成されている。これより、例えば、最大サイズのバック布４を裁断する場合は、図５の下側の左に示した例のように、生地の伸びが拘束された領域を最大限使用し、それよりも小さいサイズのバック布４を裁断する場合は、図５の下側の右に示した例のように、主領域８１の上部と副領域８２の先端部とを除くようにすればよい。また、裁断線の図示は省略するが、土台部３についても、サイズに適した大きさで裁断すればよい。このような形態であると、原反生地１０に構成するバック布４と土台部３は、それぞれ最大サイズのパターンだけを形成しておけば、後は裁断時の調整によりすべてのサイズのバック布４と土台部３を得ることに対応することができるので、製作工程を単純化することができ、延いては製作コストを抑制することができる。
【００３１】
上記のようになる第１ゾーン８の主領域８１と第２ゾーン９との境界Ｂは、着用時におけるバック布４の引張方向（カップ部２から留具６に向かう方向）と直交する方向に沿う直線とされている。
【００３２】
以上説明したように、着圧力の強弱の違いを第１ゾーン８と第２ゾーン９の２箇所に設定するとともに、着圧力が大きい方の第１ゾーン８を、土台部３の前中心からカップ部２の腋側サイドの側方に至る主領域８１と、この主領域８１に連続してバック布４の先端側に向かいバック布４の下縁４２に沿って延在する副領域８２とから構成したので、主領域８１により腋の肉が背後に流れにくくなり、良好なサポート感が得られると同時に、副領域８２により不快な締め付け感を伴わない適度な締付力も得ることができる。この結果、着用感、造形性、補整機能性等のすべてを満足することができる。しかも、第１ゾーン８の主領域８１と第２ゾーン９との境界Ｂを、着用時におけるバック布４の引張方向と直交する方向に沿う直線したため、引張によってバック布４に皺が生じるのを防止することができ、着用時のシルエットを損ねる虞もない。
【００３３】
上記のブラジャー１にあっては、第１ゾーン８は、土台部３の前中心から、第１ゾーン８の主領域８１と第２ゾーン９との境界Ｂまでの長さＬ２が、土台部３の前中心からバック布４の先端までの長さＬ１の４０〜８０％とされているとよい。
【００３４】
上記長さが４０％未満であると着用感が緩いものとなり、８０％を超えると締め付け感が強くなるので、上記長さがそのような範囲であれば、良好なサポート感が得られたうえで優れた着用感を得ることができる。
【００３５】
また、上記ブラジャー１にあっては、カップ部２の腋側から下側周縁に沿って補強部材１１を設けている。その場合、この補強部材１１は、カップ部２の腋側に位置する部位１１ａの弾性力が、カップ部２の下側周縁側に位置する部位１１ｂの弾性力よりも大きくされるのが望ましい。補強部材１１としては、例えば、金属ワイヤを使用することができる。この場合、金属ワイヤの太さを途中で切り替えることで、１本のワイヤに弾性力の強弱を付けることができる（例えば、特開平１０−３１０９０９号公報参照）。また、そのような金属ワイヤに代えて、合成樹脂製のワイヤも用いてもよく、材質は限定されない。
【００３６】
このような補強部材１１をカップ部２の腋側から下側周縁に沿って設けることにより、乳房のホールド感がより良好なものとなる。特に、カップ部２の下側周縁側に位置する部位１１ｂの弾性力を腋側のそれよりも小さくしているので、補強部材１１が肌に食い込み難く、着用感を損ねる虞がない。なお、補強部材１１は必須ではなく、これを省いてもよい。
【００３７】
さらに、上記ブラジャー１にあっては、カップ部２をモールドカップで構成するとともに、カップ部２の腋側には肌側に膨出する隆起部や熱硬化性樹脂からなるシートパネル１２を設けてもよい。
【００３８】
この場合、乳房をソフトに保持するとともに、乳房を無理なくより一層理想的な形態に造形することができる。なお、上記隆起部やシートパネル１２は必須ではなく、これを省いてもよい。
【００３９】
また、バック布４は、通常、薄い生地であることから、特に色合いが薄い場合は第１ゾーン８と第２ゾーン９との姿が表側に映り易くなるので、ブラジャー１全体のデザインを損ねることが懸念される。そのような場合は、図示は省略するが、例えば、花柄など任意の図柄を第１ゾーン８から第２ゾーン９にかけて、特に両ゾーン８，９の境界Ｂ上を覆うように設けると、そのような懸念は払拭される。また、カップ部２にシートパネル１２を設けた場合も、その影を隠すように上記したような図柄をカップ部２の表面に設けてもよい。その際、バック布４の図柄とカップ部２の図柄を一体的なデザインのものにすることで、両ゾーン８，９及びシートパネル１２が表側に映るのをうまく覆い隠すことができ、ブラジャー１のデザイン性を高めることができる。
【００４０】
なお、本発明は、その精神又は主要な特徴から逸脱することなく、他のいろいろな形で実施することができる。そのため、上述の実施形態はあらゆる点で単なる例示にすぎず、限定的に解釈してはならない。本発明の範囲は特許請求の範囲の記載によって示すものであって、明細書本文及び図面の記載にはなんら拘束されない。さらに、特許請求の範囲の均等範囲に属する変形や変更は、すべて本発明の範囲内のものである。
【００４１】
例えば、本発明は上記したブラジャー以外に、ブラスリップ、レオタード、水着など、カップ部を有する多種多様な衣類に適用することができる。
【符号の説明】
【００４２】
１    ブラジャー
２    カップ部
３    土台部
３１  前中心
４    バック布
４１  上縁
４２  下縁
４３  基端部
８    第１ゾーン
８１  主領域
８２  副領域
９    第２ゾーン
９１  領域
１１  補強部材
１１ａ  腋側に位置する部位
１１ｂ  下側周縁側に位置する部位
【図１】
2020200550.tif 000003
【図２】
2020200550.tif 000004
【図３】
2020200550.tif 000005
【図４】
2020200550.tif 000006
【図５】
2020200550.tif 000007
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
左右一対のカップ部と、これら左右のカップ部の下方に連設された土台部と、前記左右のカップ部の各腋側サイドからそれぞれ前記カップ部の背後側に延設された左右一対のバック布と、を少なくとも備えたカップ部を有する衣類において、
前記各バック布はその上縁及び下縁がそれぞれ切りっ放しのフリーカット生地で構成されるとともに、前記土台部から各バック布にかけて、着圧力の異なる２つのゾーンが画成され、
前記２つのゾーンのうち、着圧力が大きい方の第１ゾーンは、前記土台部の前中心から前記カップ部の腋側サイドの側方に至る主領域と、この主領域に連続して該バック布の先端側に向かい該バック布の下縁に沿って延在する副領域とから構成され、
前記着圧力が小さい方の第２ゾーンは、前記主領域と前記副領域と該バック布の上縁とで囲まれる領域から構成され、
前記第１ゾーンの主領域と前記第２ゾーンとの境界が、着用時におけるバック布の引張方向と直交する方向に沿う直線とされ、
さらに、前記第１ゾーンから前記第２ゾーンにかけて、当該両ゾーンの姿が表側に映るのを防止する任意の図柄が設けられたことを特徴とするカップ部を有する衣類。
【請求項２】
請求項１に記載のカップ部を有する衣類において、
前記図柄は、前記境界上を覆うように設けられたことを特徴とするカップ部を有する衣類。
【請求項３】
請求項１又は２に記載のカップ部を有する衣類において、
前記第１ゾーンは、前記土台部の前中心から前記境界までの長さが、前記土台部の前中心から前記バック布の先端までの長さの４０〜８０％とされたことを特徴とするカップ部を備えた衣類。
【請求項４】
請求項１から３のいずれか１つに記載のカップ部を有する衣類において、
前記カップ部の腋側から下側周縁に沿って補強部材が設けられ、
該補強部材は、前記カップ部の腋側に位置する部位の弾性力が、前記カップ部の下側周縁側に位置する部位の弾性力よりも大きくされたことを特徴とするカップ部を有する衣類。
【手続補正２】
【補正対象書類名】明細書
【補正対象項目名】００１１
【補正方法】変更
【補正の内容】
【００１１】
上記目的を達成するため、本発明のカップ部を有する衣類は、左右一対のカップ部と、これら左右のカップ部の下方に連設された土台部と、左右のカップ部の各腋側サイドからそれぞれカップ部の背後側に延設された左右一対のバック布と、を少なくとも備えたカップ部を有する衣類において、各バック布はその上縁及び下縁がそれぞれ切りっ放しのフリーカット生地で構成されるとともに、土台部から各バック布にかけて、着圧力の異なる２つのゾーンが画成され、２つのゾーンのうち、着圧力が大きい方の第１ゾーンは、土台部の前中心からカップ部の腋側サイドの側方に至る主領域と、この主領域に連続してバック布の先端側に向かいバック布の下縁に沿って延在する副領域とから構成され、着圧力が小さい方の第２ゾーンは、主領域と副領域とバック布の上縁とで囲まれる領域から構成され、第１ゾーンの主領域と第２ゾーンとの境界が、着用時におけるバック布の引張方向と直交する方向に沿う直線とされ、さらに、前記第１ゾーンから前記第２ゾーンにかけて、当該両ゾーンの姿が表側に映るのを防止する任意の図柄が設けられたことを特徴とするものである。
【手続補正３】
【補正対象書類名】明細書
【補正対象項目名】００１３
【補正方法】変更
【補正の内容】
【００１３】
また、着圧力の強弱の違いを第１ゾーンと第２ゾーンの２箇所に設定するとともに、着圧力が大きい方の第１ゾーンを、土台部の前中心からカップ部の腋側サイドの側方に至る主領域と、この主領域に連続してバック布の先端側に向かいバック布の下縁に沿って延在する副領域とから構成したので、主領域により腋の肉が背後に流れにくくなり、良好なサポート感が得られると同時に、副領域により不快な締め付け感を伴わない適度な締付力も得ることができる。この結果、着用感、造形性、補整機能性等のすべてを満足することができる。しかも、第１ゾーンの主領域と第２ゾーンとの境界を、着用時におけるバック布の引張方向と直交する方向に沿う直線したため、引張によってバック布に皺が生じるのを防止することができ、着用時のシルエットを損ねる虞もない。
さらに、バック布は、通常、薄い生地であることから、特に色合いが薄い場合は第１ゾーンと第２ゾーンとの姿が表側に映り易くなるので、ブラジャー全体のデザインを損ねることが懸念されるが、第１ゾーンから第２ゾーンにかけて、当該両ゾーンの姿が表側に映るのを防止する任意の図柄が設けられているので、そのような懸念は払拭される。特に、任意の図柄を第１ゾーンと第２ゾーンとの境界上を覆うように設けると、より効果的である。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
左右一対のカップ部と、これら左右のカップ部の下方に連設された土台部と、前記左右のカップ部の各腋側サイドからそれぞれ前記カップ部の背後側に延設された左右一対のバック布と、を少なくとも備えたカップ部を有する衣類において、
前記各バック布はその上縁及び下縁がそれぞれ切りっ放しのフリーカット生地で構成されるとともに、前記土台部から各バック布にかけて、着圧力の異なる２つのゾーンが画成され、
前記２つのゾーンのうち、着圧力が大きい方の第１ゾーンは、前記土台部の前中心から前記カップ部の腋側サイドの側方に至る主領域と、この主領域に連続して該バック布の先端側に向かい該バック布の下縁に沿って延在する副領域とから構成され、
前記着圧力が小さい方の第２ゾーンは、前記主領域と前記副領域と該バック布の上縁とで囲まれる領域から構成され、
前記第１ゾーンの主領域と前記第２ゾーンとの境界が、着用時におけるバック布の引張方向と直交する方向に沿う直線とされ、
さらに、前記第１ゾーンから前記第２ゾーンにかけて、当該両ゾーンの境界上を覆うように任意の図柄が設けられたことを特徴とするカップ部を有する衣類。
【請求項２】
請求項１に記載のカップ部を有する衣類において、
前記第１ゾーンは、前記土台部の前中心から前記境界までの長さが、前記土台部の前中心から前記バック布の先端までの長さの４０〜８０％とされたことを特徴とするカップ部を備えた衣類。
【請求項３】
請求項１又は２に記載のカップ部を有する衣類において、
前記カップ部の腋側から下側周縁に沿って補強部材が設けられ、
該補強部材は、前記カップ部の腋側に位置する部位の弾性力が、前記カップ部の下側周縁側に位置する部位の弾性力よりも大きくされたことを特徴とするカップ部を有する衣類。
【手続補正２】
【補正対象書類名】明細書
【補正対象項目名】００１１
【補正方法】変更
【補正の内容】
【００１１】
上記目的を達成するため、本発明のカップ部を有する衣類は、左右一対のカップ部と、これら左右のカップ部の下方に連設された土台部と、左右のカップ部の各腋側サイドからそれぞれカップ部の背後側に延設された左右一対のバック布と、を少なくとも備えたカップ部を有する衣類において、各バック布はその上縁及び下縁がそれぞれ切りっ放しのフリーカット生地で構成されるとともに、土台部から各バック布にかけて、着圧力の異なる２つのゾーンが画成され、２つのゾーンのうち、着圧力が大きい方の第１ゾーンは、土台部の前中心からカップ部の腋側サイドの側方に至る主領域と、この主領域に連続してバック布の先端側に向かいバック布の下縁に沿って延在する副領域とから構成され、着圧力が小さい方の第２ゾーンは、主領域と副領域とバック布の上縁とで囲まれる領域から構成され、第１ゾーンの主領域と第２ゾーンとの境界が、着用時におけるバック布の引張方向と直交する方向に沿う直線とされ、さらに、前記第１ゾーンから前記第２ゾーンにかけて、当該両ゾーンの境界上を覆うように任意の図柄が設けられたことを特徴とするものである。
【手続補正３】
【補正対象書類名】明細書
【補正対象項目名】００３９
【補正方法】変更
【補正の内容】
【００３９】
また、バック布４は、通常、薄い生地であることから、色目によって第１ゾーン８と第２ゾーン９との姿が表側に映り易くなるので、ブラジャー１全体のデザインを損ねることが懸念される。そのような場合は、図示は省略するが、例えば、花柄など任意の図柄を第１ゾーン８から第２ゾーン９にかけて、特に両ゾーン８，９の境界Ｂ上を覆うように設けると、そのような懸念は払拭される。また、カップ部２にシートパネル１２を設けた場合も、その影を隠すように上記したような図柄をカップ部２の表面に設けてもよい。その際、バック布４の図柄とカップ部２の図柄を一体的なデザインのものにすることで、両ゾーン８，９及びシートパネル１２が表側に映るのをうまく覆い隠すことができ、ブラジャー１のデザイン性を高めることができる。